(57)【要約】【課題】装置の底面に取り付けられた移動用車輪の取付位置よりも低い位置に転倒防止部材が取り付けられた場合と比較して、転倒を防止しようとする装置を移動する際に床面との間に確保可能な距離を長くする。【解決手段】収納装置１０は、内部に物品を収納可能な構造となっている収納装置本体１１と、収納装置本体１１の底面の四隅に取り付けられた４つのキャスタ３１〜３４と、この４つのキャスタ３１〜３４の真上にそれぞれ装着された４つの転倒防止部材２１〜２４とから構成されている。転倒防止部材２１〜２４は、収納装置本体１１の底面の４つのキャスタ３１〜３４がそれぞれ取り付けられた四隅において、このキャスタ３１〜３４の取付位置に対して床面よりも遠い位置に装着されている。そして、転倒防止部材２１〜２４は、それぞれ、高さ調整が可能なアジャスタを有している。【選択図】図１
2018011708.tif 000002
【特許請求の範囲】
【請求項１】
転倒を防止しようとする装置の底面の移動用車輪が取り付けられた四隅において、当該移動用車輪の取付位置に対して床面よりも遠い位置に装着され、高さ調整が可能な固定用脚部を有する転倒防止装置。
【請求項２】
前記移動用車輪を装置の底面に取り付けるための取付部材を覆うような形状に構成され、前記装置から脱着可能な構造となっている請求項１記載の転倒防止装置。
【請求項３】
前記移動用車輪を装置の底面に取り付けるための取付構造の天面と底部との間の空間に装着されるよう構成されている請求項１又は２記載の転倒防止装置。
【請求項４】
装置本体と、
前記装置本体の底面の四隅に取り付けられた４つの移動用車輪と、
前記装置本体の底面の前記４つの移動用車輪がそれぞれ取り付けられた四隅において、当該移動用車輪の取付位置に対して床面よりも遠い位置に装着され、高さ調整が可能な固定用脚部を有する４つの転倒防止部材と、
を備えた装置。
【請求項５】
内部に物品を収納可能な構造となっている収納装置本体と、
前記収納装置本体の底面の四隅に取り付けられた４つの移動用車輪と、
前記収納装置本体の底面の前記４つの移動用車輪がそれぞれ取り付けられた四隅において、当該移動用車輪の取付位置に対して床面よりも遠い位置に装着され、高さ調整が可能な固定用脚部を有する４つの転倒防止部材と、
を備えた収納装置。
【発明の詳細な説明】
【技術分野】
【０００１】
本発明は、転倒防止装置、装置、収納装置に関する。
【背景技術】
【０００２】
特許文献１には、底面に設置されたキャスタの支軸に回転自在に取り付けられた湾曲扇形の転倒防止部材を有する転倒防止装置が開示されている。
【０００３】
特許文献２には、転倒を防止しようとする機器の本体に対して、上端を支点として回転自在に連結され、本体の側面から展開することにより機器の転倒を防止するよう構成された転倒防止装置が開示されている。
【先行技術文献】
【特許文献】
【０００４】
【特許文献１】特開２００２−２５２４７５号公報
【特許文献２】特開２００５−２２７６３３号公報
【発明の概要】
【発明が解決しようとする課題】
【０００５】
装置の底面の四隅にキャスタ（移動用車輪）を取り付けることにより、必要な場合には装置を移動させることが可能なように構成することが行われている。
【０００６】
また、このような装置が使用中に転倒しないよう、高さ調整が可能なアジャスタを有する転倒防止部材を装置に装着させ、このアジャスタを調整して床面を支持させることにより、転倒耐力（転倒に耐える力）を向上させる場合がある。
【０００７】
この場合、装置の底面の四辺の中央に転倒防止部材を装着するよりも底面の四隅に装着した方がより大きな転倒防止効果を得ることができる。そのため、転倒防止部材を底面の４隅に装着することが行われている。
【０００８】
しかし、装置の底面の四隅にキャスタが設けられている場合、このキャスタの取付位置よりも床面に近い位置に転倒防止部材を装着することが一般的である。
【０００９】
このような構成とした場合、装置を移動させようとしてアジャスタを最も上側にしたとしても、床面との間の隙間（最低地上高）をあまり確保できず、電源コードや段差等の障害物が隙間に挟まったり、スロープ等の斜面にアジャスタが接触してしまったりして移動性が悪い場合があった。
【００１０】
本発明の目的は、装置の底面に取り付けられた移動用車輪の取付位置よりも低い位置に転倒防止部材が取り付けられた場合と比較して、転倒を防止しようとする装置を移動する際に床面との間に確保可能な距離を長くすることができる転倒防止装置、装置、収納装置を提供することである。
【課題を解決するための手段】
【００１１】
［転倒防止装置］
請求項１に係る本発明は、転倒を防止しようとする装置の底面の移動用車輪が取り付けられた四隅において、当該移動用車輪の取付位置に対して床面よりも遠い位置に装着され、高さ調整が可能な固定用脚部を有する転倒防止装置である。
【００１２】
請求項２に係る本発明は、前記移動用車輪を装置の底面に取り付けるための取付部材を覆うような形状に構成され、前記装置から脱着可能な構造となっている請求項１記載の転倒防止装置である。
【００１３】
請求項３に係る本発明は、前記移動用車輪を装置の底面に取り付けるための取付構造の天面と底部との間の空間に装着されるよう構成されている請求項１又は２記載の転倒防止装置である。
【００１４】
[装置]
請求項４に係る本発明は、装置本体と、
前記装置本体の底面の四隅に取り付けられた４つの移動用車輪と、
前記装置本体の底面の前記４つの移動用車輪がそれぞれ取り付けられた四隅において、当該移動用車輪の取付位置に対して床面よりも遠い位置に装着され、高さ調整が可能な固定用脚部を有する４つの転倒防止部材とを備えた装置である。
【００１５】
[収納装置]
請求項５に係る本発明は、内部に物品を収納可能な構造となっている収納装置本体と、
前記収納装置本体の底面の四隅に取り付けられた４つの移動用車輪と、
前記収納装置本体の底面の前記４つの移動用車輪がそれぞれ取り付けられた四隅において、当該移動用車輪の取付位置に対して床面よりも遠い位置に装着され、高さ調整が可能な固定用脚部を有する４つの転倒防止部材とを備えた収納装置である。
【発明の効果】
【００１６】
請求項１に係る本発明によれば、装置の底面に取り付けられた移動用車輪の取付位置よりも低い位置に転倒防止部材が取り付けられた場合と比較して、転倒を防止しようとする装置を移動する際に床面との間に確保可能な距離を長くすることができる転倒防止装置を提供することができる。
【００１７】
請求項２に係る本発明によれば、移動用車輪を装置に取り付けているビス等の取付部材が存在する場合でも、転倒防止装置を装置に脱着可能に構成することが可能になる。
【００１８】
請求項３に係る本発明によれば、移動用車輪を装置に取り付けている取付構造を利用して、転倒防止装置を装置に脱着可能に構成することが可能になる。
【００１９】
請求項４に係る本発明によれば、装置の底面に取り付けられた移動用車輪の取付位置よりも低い位置に転倒防止部材が取り付けられた場合と比較して、転倒を防止しようとする装置を移動する際に床面との間に確保可能な距離を長くすることができる装置を提供することができる。
【００２０】
請求項５に係る本発明によれば、装置の底面に取り付けられた移動用車輪の取付位置よりも低い位置に転倒防止部材が取り付けられた場合と比較して、転倒を防止しようとする装置を移動する際に床面との間に確保可能な距離を長くすることができる収納装置を提供することができる。
【図面の簡単な説明】
【００２１】
【図１】本発明の一実施形態の収納装置１０の外観を示す図である。
【図２】本実施形態の一実施形態の収納装置１０の上部にプリンタ１２０等の画像形成装置を搭載した場合の様子を説明するための図である。
【図３】転倒防止部材２１が収納装置本体１１に装着されている様子を説明するための図である。
【図４】転倒防止部材２１が収納装置本体１１に取り付けられている部分の構造を説明するための透視図である。
【図５】図４に示した透視図を上面から見た場合の図である。
【図６】収納装置本体１１から取り外した転倒防止部材２１の外観図である。
【図７】本発明の一実施形態の収納装置１０の上面図である。
【図８】図７に示した上面図におけるＡ−Ａ断面図である。
【図９】図８に示した断面図におけるＢ−Ｂ断面図である。
【図１０】キャスタ取付構造よりも下に転倒防止部材を装着した場合の構造を説明するための図である。
【図１１】キャスタ取付構造６１の内部に転倒防止部材２１を装着した場合の構造を説明するための図である。
【図１２】転倒防止部材の突出方向を他の方向とした場合の収納装置１０ａの上面図である。
【図１３】転倒防止部材の突出方向を他の方向とした場合の収納装置１０ｂの上面図である。
【図１４】転倒防止部材の突出方向を他の方向とした場合の収納装置１０ｃの上面図である。
【発明を実施するための形態】
【００２２】
次に、本発明の実施の形態について図面を参照して詳細に説明する。
【００２３】
図１は本発明の一実施形態の収納装置１０の外観を示す図である。
【００２４】
本実施形態の収納装置１０は、図１に示されるように、内部に印刷用紙、予備のトナーカートリッジ等を収納可能な構造になっているとともに、上部にプリンタ等を搭載することが可能な構造となっている。
【００２５】
そして、この収納装置１０は、内部に物品を収納可能な構造となっている収納装置本体１１と、収納装置本体１１の底面の四隅に取り付けられた４つのキャスタ（移動用車輪）３１〜３４と、この４つのキャスタ３１〜３４の真上にそれぞれ装着された４つの転倒防止部材（転倒防止装置）２１〜２４とから構成されている。
【００２６】
また、この転倒防止部材２１〜２４は、収納装置本体１１の底面の４つのキャスタ３１〜３４がそれぞれ取り付けられた四隅において、このキャスタ３１〜３４の取付位置に対して床面よりも遠い位置に装着されている転倒防止脚である。そして、転倒防止部材２１〜２４は、それぞれ、高さ調整が可能なアジャスタ（固定用脚部）を有している。
【００２７】
なお、図１では、底面の左後部の隅に装着されたキャスタ３４および転倒防止部材２４については、収納装置本体１１に隠されているため図示されていない。
【００２８】
本実施形態の収納装置１０は、図２に示すように、上部にプリンタ１２０等の画像形成装置を搭載することが可能な構造となっている。そのため、オフィス等において設置された場合でも転倒することが無いように、上部に搭載するプリンタ１２０等の重量に応じて転倒防止部材２１〜２４を収納装置本体１１に装着することができるような構造となっている。なお、収納装置１０と、収納装置１０上に搭載する機器とは、位置ずれや落下が容易に発生しないよう位置決め・固定されるような構造となっているが、本実施形態ではこのような構造についての説明・図示は省略する。
【００２９】
次に、転倒防止部材２１が収納装置本体１１に装着されている様子を図３を参照して説明する。
【００３０】
図３に示されるように、転倒防止部材２１には、アジャスタ４１が備えられている。このアジャスタ４１は、回転させることにより床面との高さを調整することができるような構造となっている。そして、収納装置１０を使用場所に設置した後にアジャスタ４１を回転させて床面に接触させ、さらに床面を押さえつけるよう調整することにより収納装置１０の転倒耐力を向上させるために用いられる。
【００３１】
なお、収納装置１０の底面の他の隅に装着される転倒防止部材２２〜２４についても同様にアジャスタが備えられており同様な構造となっている。
【００３２】
次に、転倒防止部材２１が収納装置本体１１に取り付けられている部分の構造を図４の透視図を参照して説明する。
【００３３】
図４に示すように、転倒防止部材２１の挿入部５１は、キャスタ３１を収納装置本体１１の底面に取り付けるためのキャスタ取付構造６１の天面と底部との間の空間に装着されるよう構成されている。つまり、転倒防止部材２１の挿入部５１は、このキャスタ取付構造６１をガイドとして、一定方向に挿抜可能なよう構成されている。また、挿入部５１の中央部分には、転倒防止部材２１を収納装置本体１１に固定するためのスナップ部材５２が設けられている。転倒防止部材２１を収納装置本体１１に挿入すると、スナップ部材５１が収納装置本体１１の所定箇所に設けられた穴に引っ掛かることにより、転倒防止部材２１が固定されるように構成されている。
【００３４】
この図４に示した透視図を上面から見た場合の図を図５に示す。
【００３５】
また、転倒防止部材２１を収納装置本体１１から取り外した場合の外観を図６に示す。
【００３６】
このような本実施形態の収納装置１０の上面図を図７に示す。図７に示されるように、本実施形態の収納装置１０には、上記で説明したような構造の４つの転倒防止部材２１〜２４が、底面の四隅のそれぞれに装着されることにより、収納装置１０の転倒を防止するような構造となっている。
【００３７】
次に、図７に示した上面図におけるＡ−Ａ断面図を図８に示す。図８に示されるように、転倒防止部材２１の挿入部５１は、キャスタ３１を収納装置本体１１の底面に取り付けるためのビス（取付部材）７１、７２を覆うようなコの字状の形状に構成され、収納装置本体１１から脱着可能な構造となっている。
【００３８】
そして、転倒防止部材２１が収容装置本体１１から脱着される際には、挿入部５１の中央に構成されたスナップ部材５２がネジ７１、７２に接触することなくネジ７１、７２間の隙間を通過するよう構成されている。
【００３９】
また、図８に示した断面図におけるＢ−Ｂ断面図を図９に示す。図９においても、転倒防止部材２１の挿入部５１は、キャスタ３１を収納装置本体１１の底面に取り付けるためのビス７１、７２、７３を覆うような形状に構成され、収納装置本体１１から脱着可能な構造となっているのが分かる。
【００４０】
なお、本実施形態では、キャスタ３１〜３４は、それぞれ、３つのビスにより収納装置本体１１の底面に取り付けられるような構造となっているが、４つのビスにより容装置本体１１の底面に取り付けられるような構造の場合でも、本発明を同様に適用可能である。
【００４１】
上記で説明したように、本実施形態の収納装置１０では、転倒防止部材２１〜２４は、それぞれ、キャスタ３１〜３４を底面に取り付けるためのキャスタ取付構造の天面と底部の間の空間に挿入されることにより、キャスタ取付位置よりも上部に装着されている。
【００４２】
比較のために、このような構成を採用せずに、キャスタ取付構造よりも下に転倒防止部材を装着した場合の構造を図１０を参照して説明する。
【００４３】
図１０では、キャスタ取付構造６１の下部に転倒防止部材９０が装着された場合の構成が示されている。図１０(Ａ)では、転倒防止部材９０のアジャスタ９１の高さ調整が行われることにより床面を支えている場合が示されており、図１０(Ｂ)では、アジャスタ９１を最も高い位置まで移動させた場合の様子が示されている。
【００４４】
図１０に示したような構造の場合、図１０(Ｂ)に示されるように、アジャスタ９１を最も高い位置にした場合でも床面との間の距離はＨ１しか確保することができていないことが分かる。
【００４５】
これに対して、本実施形態の収納装置１０における構造である、キャスタ取付構造６１の内部に転倒防止部材２１を装着した場合の構造を図１１を参照して説明する。この図１１においても、図１１(Ａ)では、転倒防止部材２１のアジャスタ４１の高さ調整が行われることにより床面を支えている場合が示されており、図１１(Ｂ)では、アジャスタ４１を最も高い位置まで移動させた場合の様子が示されている。
【００４６】
図１１に示したような本実施形態の構造の場合、図１１(Ｂ)に示されるように、アジャスタ４１を最も高い位置にした場合には床面との間の距離がＨ２だけ確保することができていることが分かる。
【００４７】
ここで、図１０(Ｂ)と図１１(Ｂ)を比較することにより、本実施形態の構造の場合に床面との間で確保可能な距離Ｈ２は、キャスタの取付位置よりも下に転倒防止部材を装着した場合に床面との間で確保可能な距離Ｈ１よりも長くなっているのが分かる。
【００４８】
なお、本実施形態では、図７に示したように、転倒防止部材２１〜２４は、収納装置１０の対角線方向に突出するような方向で装着されていたが、転倒防止部材２１〜２４の突出方向を他の方向にするような構造としても良い。
【００４９】
例えば、図１２に示すように、収納装置１０ａの底面の四隅に装着される４つの転倒防止部材２１ａ〜２４ａを、それぞれ装置の左右方向に突出させるような構造とするようにしても良い。
【００５０】
また、図１３に示すように、収納装置１０ｂの底面の四隅に装着される４つの転倒防止部材２１ｂ〜２４ｂを、それぞれ装置の前後方向に突出させるような構造とするようにしても良い。
【００５１】
さらに、図１４に示すように、収納装置１０ｃの底面の四隅に装着される４つの転倒防止部材２１ｃ〜２４ｃを、それぞれＬ字形状として、装置の前後方向に突出させるような構造とするようにしても良い。
【００５２】
[変形例]
上記実施形態では、プリンタ等の画像形成装置が載せられる収納装置に対して転倒防止部材を装着する場合を用いて説明したが、本発明はこれに限定されるものではなく、転倒を防止しようとする装置が収納装置以外の装置の場合でも同様に本発明を適用することができるものである。
【符号の説明】
【００５３】
１０、１０ａ、１０ｂ、１０ｃ    収納装置
１１    収納装置本体
２１〜２４    転倒防止部材
２１ａ〜２４ａ    転倒防止部材
２１ｃ〜２４ｂ    転倒防止部材
２１ｃ〜２４ｃ    転倒防止部材
３１〜３４    キャスタ
４１〜４４    アジャスタ
５１    挿入部
５２    スナップ部材
６１    キャスタ取付構造
７１〜７３    ビス
９０    転倒防止部材
９１    アジャスタ
１２０    プリンタ
【図１】
2018011708.tif 000003
【図２】
2018011708.tif 000004
【図３】
2018011708.tif 000005
【図４】
2018011708.tif 000006
【図５】
2018011708.tif 000007
【図６】
2018011708.tif 000008
【図７】
2018011708.tif 000009
【図８】
2018011708.tif 000010
【図９】
2018011708.tif 000011
【図１０】
2018011708.tif 000012
【図１１】
2018011708.tif 000013
【図１２】
2018011708.tif 000014
【図１３】
2018011708.tif 000015
【図１４】
2018011708.tif 000016